(57)【要約】【課題】、低コストで、建物下面と杭との接合部分に作用する大きな水平荷重に抵抗できるコンクリート杭を提供すること。【解決手段】コンクリート杭１は、鉛直方向に延びる複数本の主筋２０と、主筋２０を囲んで巻き立てられたフープ筋２１と、を備える。杭上部３０のせん断強度は、杭中間部３１および杭下部３２のせん断強度よりも高くなっている。建物下面と杭との接合部分には大きな水平荷重が作用するが、本発明によれば、建物下面に接合される杭上部３０についてのみせん断強度を高めたので、大きな水平荷重に低コストで抵抗できる。【選択図】図１
2020197125.tif 000002
【特許請求の範囲】
【請求項１】
鉛直方向に延びる複数本の主筋と、当該主筋を囲んで巻き立てられたフープ筋と、を備えるコンクリート杭であって、
杭上部のせん断強度は、杭中間部および杭下部のせん断強度よりも高いことを特徴とするコンクリート杭。
【請求項２】
前記杭上部のフープ筋は、複数の螺旋状の鉄筋が重ねて巻き立てられた重ね巻き部を有し、
前記杭中間部および前記杭下部のフープ筋は、一本の螺旋状の鉄筋であることを特徴とする請求項１に記載のコンクリート杭。
【請求項３】
前記杭上部のフープ筋は、前記杭中間部および前記杭下部のフープ筋よりも高強度および／または太径の螺旋状の鉄筋であり、
前記杭上部のフープ筋同士の間隔は、前記杭中間部および前記杭下部のフープ筋同士の間隔と同等以上であることを特徴とする請求項１に記載のコンクリート杭。
【請求項４】
前記主筋は、前記杭上部のみに配置された内側主筋と、当該内側主筋の外側でかつ杭の略全長に亘って配置された外側主筋と、を備え、
前記フープ筋は、前記内側主筋を囲んで巻き立てられた一本の螺旋状の鉄筋である内側フープ筋と、前記外側主筋を囲んで巻き立てられた一本の螺旋状の鉄筋である外側フープ筋と、を備えることを特徴とする請求項１に記載のコンクリート杭。
【発明の詳細な説明】
【技術分野】
【０００１】
本発明は、杭上部側のみ杭主筋を囲むフープ筋を高密度配筋したり、フープ筋に高強度鉄筋を使用したりする鉄筋コンクリート造のコンクリート杭に関する。
【背景技術】
【０００２】
従来より、建物を支持する杭として、鉛直方向に延びる複数本の主筋と、当該主筋を囲んで巻き回されたフープ筋と、を備えるコンクリート杭がある。
特許文献１には、複数の主筋の外周に巻き付けられたフープ筋の構造が示されている。このフープ筋の構造では、らせん状の鉄筋を複数本重ねて巻き立てた複数本重ね巻き部分と、らせん状の鉄筋を一本巻き立てた一本巻き部分とが、主筋の軸方向に交互に形成されている。
【０００３】
特許文献２には、現場施工による鉄筋コンクリート杭の配筋方法が示されている。具体的には、鉄筋コンクリート杭の主筋を、閉鎖型の段取り筋で所定間隔に仮止めした後、主筋外周に、主筋と直交してスパイラルフープ筋を連続して建て込み、主筋とスパイラル筋を緊結して鉄筋籠を構成する。
【０００４】
特許文献３には、軸方向に延びる軸筋材の周囲に、複数の鉄筋を所定間隔おいて螺旋状に巻き立てた中空プレキャストコンクリート杭が示されている。
【先行技術文献】
【特許文献】
【０００５】
【特許文献１】特開２００７−２７０４８６号公報
【特許文献２】特許第３０９４３６８号公報
【特許文献３】実開昭６１−００８２２０号公報
【発明の概要】
【発明が解決しようとする課題】
【０００６】
建物下面と杭との接合部分には大きな水平荷重が作用するため、杭上部の強度を杭中間部および杭下部の強度よりも増大させる必要がある。しかしながら、上述の特許文献１〜３の構造では、杭の全長に亘って杭主筋やフープ筋の配筋が同一であり、コスト高となる。
【０００７】
本発明は、低コストで、建物下面と杭との接合部分に作用する大きな水平荷重に抵抗できるコンクリート杭を提供することを目的とする。
【課題を解決するための手段】
【０００８】
本発明者らは、高層建物を支持する鉄筋コンクリート杭構造として、杭上部側にはスパイラル型フープ筋を複数本重ねて巻き立てるダブルスパイラル筋を設け、杭中間部と杭下部にはシングルスパイラル筋を配筋することで、必要なせん断補強筋量を確保しつつ、コンクリートを充填する際に必要な配筋間隔が広く確保できることに着目し、本発明のコンクリート杭を発明するに至った。
【０００９】
第１の発明のコンクリート杭（例えば、後述のコンクリート杭１）は、鉛直方向に延びる複数本の主筋（例えば、後述の主筋２０）と、当該主筋を囲んで巻き立てられたフープ筋（例えば、後述のフープ筋２１）と、を備えるコンクリート杭であって、杭上部（例えば、後述の杭上部３０）のせん断強度は、杭中間部（例えば、後述の杭中間部３１）および杭下部（例えば、後述の杭下部３２）のせん断強度よりも高いことを特徴とする。
【００１０】
この発明によれば、杭の全長に亘ってせん断強度を同一とするのではなく、杭上部のせん断強度を杭中間部および杭下部より高くすることで、杭上部に生じる水平変位を低減しつつ、杭中間部および杭下部の杭体の靱性能を高めることができる。また、建物下面に接合される杭上部についてのみ、せん断強度を高めることで、杭の全長に亘ってせん断強度を同一とした場合に比べて、低コストで、建物下面と杭との接合部分に作用する大きな水平荷重に抵抗できる。
具体的には、例えば、杭上部において、フープ筋の降伏強度や鉄筋径、フープ筋の配筋量、あるいはコンクリート強度を、杭中間部および杭下部よりも増加させる。または、杭上部に鋼製リングを配置する。
【００１１】
第２の発明のコンクリート杭は、前記杭上部のフープ筋は、複数の螺旋状の鉄筋が重ねて巻き立てられた重ね巻き部（例えば、後述の重ね巻き部２３）を有し、前記杭中間部および前記杭下部のフープ筋は、一本の螺旋状の鉄筋であることを特徴とする。
【００１２】
この発明によれば、杭上部のフープ筋に、複数の螺旋状の鉄筋が重ねて巻き立てられた重ね巻き部を設け、杭中間部および杭下部のフープ筋に一本の螺旋状の鉄筋を用いることで、杭の全長に亘ってフープ筋同士の間隔を殆ど変更することなく、杭上部のせん断強度を、杭中間部および杭下部のせん断強度よりも容易に高くできる。
具体的には、杭上部においては、螺旋状の鉄筋を複数本重ねて巻き立てたので、フープ筋の必要な鉄筋量を確保しつつ、フープ筋間隔を杭中間部および杭下部のフープ筋に比べて、フープ筋１本の直径分だけ狭めるだけでよいので、高密度に配筋でき、杭の隅々までコンクリートを確実に打設できる。
また、螺旋状の鉄筋を複数本重ねて巻き立てることで、杭主筋の周囲に巻き立てるフープ筋は１本のみであり、フープ筋のかぶり厚さが増大するのを防止できる。
また、フープ筋として螺旋状（スパイラル型）の鉄筋を用いたので、１本毎に閉鎖した形状に折り曲げ加工された円環状や矩形環状のフープ筋を用いる場合に比べて、所定の間隔を維持した複数のフープ筋を短時間で主筋に結束できる。
【００１３】
第３の発明のコンクリート杭は、前記杭上部のフープ筋は、前記杭中間部および前記杭下部のフープ筋よりも高強度および／または太径の螺旋状の鉄筋であり、前記杭上部のフープ筋同士の間隔は、前記杭中間部および前記杭下部のフープ筋同士の間隔と同等以上であることを特徴とする。
【００１４】
この発明によれば、杭上部に、高強度鉄筋、太径鉄筋、または、高強度の太径鉄筋を使用することで、フープ筋同士の間隔を狭めることなく、杭上部のせん断強度を、杭中間部および杭下部のせん断強度よりも容易に高くできる。また、杭上部に高強度フープ筋を用いることで、杭上部を高密度に配筋することなく、必要なせん断強度を実現することができる。
【００１５】
第４の発明のコンクリート杭は、前記主筋は、前記杭上部のみに配置された内側主筋（例えば、後述の内側主筋２４）と、当該内側主筋の外側でかつ杭の略全長に亘って配置された外側主筋（例えば、後述の外側主筋２５）と、を備え、前記フープ筋は、前記内側主筋を囲んで巻き立てられた一本の螺旋状の鉄筋である内側フープ筋（例えば、後述の内側フープ筋２６）と、前記外側主筋を囲んで巻き立てられた一本の螺旋状の鉄筋である外側フープ筋（例えば、後述の外側フープ筋２７）と、を備えることを特徴とする。
【００１６】
この発明によれば、杭上部のみに内側主筋および外側主筋を配置し、それぞれの主筋を囲むように螺旋状にフープ筋を配筋することで、杭上部のせん断強度および曲げ強度を、杭中間部および杭下部のせん断強度および曲げ強度よりも容易に高くできる。
【発明の効果】
【００１７】
本発明によれば、低コストで、建物下面と杭との接合部分に作用する大きな水平荷重に抵抗できるコンクリート杭を提供できる。
【図面の簡単な説明】
【００１８】
【図１】第１実施形態に係るコンクリート杭を備えた基礎構造の縦断面図である。
【図２】図１に示すコンクリート杭のＡ−Ａ横断面図である。
【図３】コンクリート杭の杭中間部および杭下部ならびに杭上部の拡大縦断面図である。
【図４】地震時に杭に作用する力と水平変位の関係の模式図である。
【図５】第２実施形態に係るコンクリート杭を備えた基礎構造の縦断面図である。
【図６】図１に示すコンクリート杭のＢ−Ｂ横断面図である。
【図７】第３実施形態に係るコンクリート杭を備えた基礎構造の縦断面図である。
【図８】第１の変形例に係るコンクリート杭を備えた基礎構造の縦断面図である。
【図９】図１に示すコンクリート杭のＣ−Ｃ横断面図である。
【図１０】第２の変形例に係るコンクリート杭を備えた基礎構造の縦断面図である。
【発明を実施するための形態】
【００１９】
本発明は、杭径がほぼ一様なコンクリート杭において、杭の全長に亘って杭主筋やフープ筋を同一形式で配筋してせん断強度を一定にするのではなく、杭上部のせん断強度を杭中間部および杭下部より高くする。具体的には、コンクリート杭として、杭上部側のみスパイラル型フープ筋を複数本重ねて巻き立てたダブルスパイラル筋を配筋する第１実施形態（図１〜図４）と、杭上部側のみに内側杭主筋および外側杭主筋を配置し、それぞれの主筋にフープ筋を配筋する第２施形態（図５、図６）と、杭上部側のみ高強度スパイラル型フープ筋または太径のスパイラル型フープ筋を配筋する第３形態（図７）と、杭上部側のみ杭外周面に鋼製リングを配置する第１の変形例（図８、図９）と、杭上部側のみを高強度コンクリートで築造する第２の変形例（図１０）がある。
【００２０】
以下、本発明の実施形態を図面に基づいて説明する。なお、以下の実施形態の説明にあたって、同一構成要件については同一符号を付し、その説明を省略もしくは簡略化する。〔第１実施形態〕
図１は、本発明の第１実施形態に係るコンクリート杭１を備えた建物の基礎構造１０の縦断面図である。図２は、図１に示すコンクリート杭のＡ−Ａ横断面図である。
基礎構造１０は、地盤に打ち込まれた鉄筋コンクリート造のコンクリート杭１と、このコンクリート杭１の上端に支持されたフーチング１１と、フーチング１１同士を連結する基礎梁１２と、フーチング１１の上に設けられた柱１３と、を備える。
【００２１】
コンクリート杭１は、略円柱形状であり、鉛直方向に延びる複数本の主筋２０と、これら主筋２０を囲んで巻き立てられたフープ筋２１と、を備える。
以下、コンクリート杭１の上部を杭上部３０、中間部を杭中間部３１、下部を杭下部３２とする。
【００２２】
図３（ａ）は、コンクリート杭１の杭中間部３１および杭下部３２の拡大縦断面図である。図３（ｂ）は、コンクリート杭１の杭上部３０の拡大縦断面図である。
杭中間部３１および杭下部３２のフープ筋２１は、一本の螺旋状の鉄筋である。
杭上部３０のフープ筋２１は、２本の螺旋状（スパイラル型）の鉄筋を重ねて巻き立てられた重ね巻き部２３で構成されている。
【００２３】
ここで、杭上部３０と杭中間部３１および杭下部３２とでは、降伏強度および鉄筋径が同一のフープ筋２１が使用されている。これにより、配筋時に使用する鉄筋を間違えるリスクを低減できるとともに、配筋作業の効率を高めるができる。また、フープ筋２１同士および重ね巻き部２３同士の間隔も、略同一となっている。
よって、コンクリート杭１の杭上部３０のせん断強度は、杭中間部３１および杭下部３２のせん断強度よりも高くなっている。
【００２４】
ここで、せん断補強筋比をｐｗ、せん断補強筋の降伏強度σｗｙとすると、せん断補強筋量Ｑは、以下の式（１）で表される。
Ｑ＝ｐｗ×σｗｙ  ・・・（１）
【００２５】
以下、杭中間部および杭下部について、添え字を１とし、杭上部については、添え字を２とする。
よって、例えば、杭中間部および杭下部では、ｐｗ１が０．２％、σｗｙ１が３９０Ｎ／ｍｍ２とすると、Ｑ１は０．７８Ｎ／ｍｍ２となる。一方、杭上部では、重ね巻き部が設けられているため、ｐｗ２がｐｗ１の２倍の０．４％となり、その結果、Ｑ２もＱ１の２倍の１．５６Ｎ／ｍｍ２となり、杭上部のせん断強度を高めることができる。
【００２６】
図４（ａ）は、地震時に建物および杭の挙動を示す模式図である。
地震が発生すると、建物に水平力Ｈが作用し、図４（ａ）に示すように、杭が変形することになる。
図４（ｂ）は、本願発明、従来の普通強度杭、従来の高耐力杭の水平変位を示す模式図である。図４（ｂ）中、実線が本発明の杭の水平変位の分布であり、一点破線が従来の普通強度杭の水平変位の分布であり、破線が従来の高耐力杭の水平変位の分布である。
【００２７】
ここで、普通強度杭としては、遠心力成形の鉄筋コンクリートＲＣ杭、遠心力成形のプレストレストコンクリートＰＣ杭、および場所打ち鉄筋コンクリート杭が挙げられる。また、高耐力杭としては、遠心力成形の高強度プレストレストコンクリートＰＨＣ杭、遠心力成形の高強度プレストレスト鉄筋コンクリートＰＲＣ杭、遠心力成形の外殻鋼管付コンクリートＳＣ杭、場所打ち鋼管コンクリート杭、および地中壁杭が挙げられる。
【００２８】
建物と杭上部との接合部分には、建物に作用する水平力を打ち消そうと、反対方向に大きなせん断力が作用することになる。その際、杭に生じる水平変位は、杭上端が最も大きくなり、杭下端側に向うに従って減少する。この水平変位の分布に対応するものが、杭に作用する曲げモーメントの分布である。
【００２９】
従来の高耐力杭は、杭の全長に亘って高強度とした構造であるため、図４（ｂ）中破線で示すように、杭の水平変位を全長に亘って抑制して小さくできる。しかし、このような高耐力杭は築造方法が複雑で、製作日数が長くなり、高コストになるという課題があった。
これに対して、本発明の杭は、杭上部のせん断強度のみを杭中間部および杭下部よりも増大させることで、杭上部に生じる水平変位量のみを抑制する点に特徴がある。よって、高い靱性能を備えた高いせん断強度を備える鉄筋コンクリート杭を実現できる。
【００３０】
コンクリート杭１は、予め工場で製造しておき、現場に運搬して打ち込む既製杭と、現場で築造する場所打ち杭と、がある。
コンクリート杭１を既製杭とした場合、次の手順で製造する。すなわち、工場にて、主筋２０とフープ筋２１とで鉄筋かごを組立てておき、この鉄筋かごを水平方向に延びる鋼製の円筒形状の型枠内に配置した後、型枠内にコンクリートを打設して製造する。
【００３１】
コンクリート杭１を場所打ち杭とした場合、次の手順で築造する。まず、現場にて、主筋２０とフープ筋２１とで鉄筋かごを組立てておく。次に、地盤面に鉛直方向に延びる杭穴を形成して、この杭穴に鉄筋かごを投入し、その後、この杭穴にコンクリートを流し込んで築造する。
【００３２】
本実施形態によれば、以下のような効果がある。
（１）杭上部３０のせん断強度を、杭中間部３１および杭下部３２のせん断強度よりも高くした。フーチング１１とコンクリート杭１との接合部には大きな水平荷重が作用するが、フーチング１１に接合される杭上部３０についてのみ、せん断強度を高めたので、この大きな水平荷重に低コストで抵抗できる。
【００３３】
（２）杭上部３０のフープ筋２１に、２本の螺旋状の鉄筋が重ねて巻き立てられた重ね巻き部２３を設け、杭中間部３１および杭下部３２のフープ筋２１を、一本の螺旋状の鉄筋とした。よって、杭上部３０のせん断強度を、杭中間部３１および杭下部３２のせん断強度よりも容易に高くできる。
また、杭上部３０において、螺旋状の鉄筋を２本重ねて巻き立てたので、フープ筋２１の必要な鉄筋量を確保しつつ、コンクリートの充填に必要なフープ筋間隔を広く確保でき、杭の隅々までコンクリートを確実に打設できる。
また、螺旋状の鉄筋を複数本重ねて巻き立てることで、フープ筋２１のかぶり厚さが増大するのを防止できる。
【００３４】
〔第２実施形態〕
図５は、本発明の第２実施形態に係るコンクリート杭１Ａを備えた基礎構造１０の縦断面図である。図６は、図５に示すコンクリート杭１ＡのＢ−Ｂ横断面図である。
本実施形態では、コンクリート杭１Ａは、主筋として、杭上部３０に配置された内側主筋２４と、内側主筋２４の外側でかつコンクリート杭１の略全長に亘って配置された外側主筋２５と、を備える。
【００３５】
また、コンクリート杭１Ａは、フープ筋として、内側主筋２４を囲んで巻き立てられた一本の螺旋状の鉄筋である内側フープ筋２６と、外側主筋２５を囲んで巻き立てられた一本の螺旋状の鉄筋である外側フープ筋２７と、を備える。
また、フープ筋２６同士の間隔とフープ筋２７同士の間隔は、略同一となっている。
【００３６】
また、図示しないが、内側主筋２４の杭中間部側の端部には、プレートまたはフックが設けられ、定着固定されている。このように内側主筋２４の端部にプレート端部またはフックを設けることで、杭コンクリートに埋設する内側主筋２４の定着長さを短くできる。
【００３７】
よって、例えば、杭中間部および杭下部では、ｐｗ１が０．２％、σｗｙ１が３９０Ｎ／ｍｍ２とすると、Ｑ１は０．７８Ｎ／ｍｍ２となる。一方、杭上部では、内側フープ筋が設けられているため、ｐｗ２がｐｗ１の２倍の０．４％となり、その結果、Ｑ２もＱ１の２倍の１．５６Ｎ／ｍｍ２となり、第１実施形態と同様に、杭上部のせん断強度を高めることができる。
【００３８】
本実施形態によれば、上述の（１）の効果に加えて、以下のような効果がある。
（３）杭上部３０に内側主筋２４および外側主筋２５を配置し、それぞれのフープ筋として一本の螺旋状の鉄筋を用いたので、杭上部３０のせん断強度を、杭中間部３１および杭下部３２のせん断強度よりも容易に高くできる。
【００３９】
（４）杭上部３０に内側主筋２４と外側主筋２５とが配筋されていることで、杭中間部３１および杭下部３２に比べて、曲げ強度が高くなり、高い靱性能を実現できる。
【００４０】
〔第３実施形態〕
図７は、本発明の第３実施形態に係るコンクリート杭１Ｂを備えた基礎構造１０の縦断面図である。
本実施形態では、杭上部３０のフープ筋２１ａには、一本の螺旋状の高強度鉄筋を配筋し、杭中間部３１および杭下部３２のフープ筋２１ｂには、杭上部よりも低強度の一本の螺旋状の鉄筋を配筋している。
本実施形態では、杭上部３０のフープ筋２１ａ同士の間隔と、杭中間部３１および杭下部３２のフープ筋２１ｂ同士の間隔は、略同一となっている。
【００４１】
よって、例えば、杭中間部および杭下部では、ｐｗ１が０．２％、σｗｙ１が３９０Ｎ／ｍｍ２とすると、Ｑ１は０．７８Ｎ／ｍｍ２となる。一方、杭上部では、高強度鉄筋を用いるため、ｐｗ２がｐｗ１と等しい０．２％であり、σｗｙ２を４９０Ｎ／ｍｍ２とすると、Ｑ２が０．９８Ｎ／ｍｍ２となり、Ｑ１よりも大きくなって杭上部のせん断強度を高めることができる。
【００４２】
なお、杭上部のフープ筋に、鉄筋径Ｄ１９の鉄筋を使用し、杭中間部および杭下部のフープ筋に鉄筋径Ｄ１６の螺旋状の鉄筋を使用して、杭上部のフープ筋を太径としてもよい。この場合も、杭上部のフープ筋のせん断強度を杭中間部および杭下部のせん断強度より高めることができる。
【００４３】
本実施形態によれば、上述の（１）の効果に加えて、以下のような効果がある。
（５）杭上部３０のフープ筋２１に高強度の鉄筋を使用したので、フープ筋２１同士の間隔を杭中間部および杭下部のフープ筋２１同士の間隔よりも狭めることなく、杭上部３０のせん断強度を、杭中間部３１および杭下部３２のせん断強度よりも容易に高くできる。
【００４４】
なお、本発明は前記実施形態に限定されるものではなく、本発明の目的を達成できる範囲での変形、改良等は本発明に含まれるものである。
上述の各実施形態では、フープ筋２１として螺旋状の鉄筋を用いたが、これに限らず、フープ筋として円環状や矩形環状の鉄筋を用いてもよい。
【００４５】
〔第１の変形例〕
また、図８および図９に示すように、コンクリート杭１Ｃの全長に亘って、フープ筋２１を一本の螺旋状の鉄筋で構成し、さらに、フープ筋２１に用いられる鉄筋の材質およびフープ筋２１同士の間隔を略同一として、コンクリート杭１の杭上部３０側の外周面にのみ、円筒形状の鋼製リング４０を配置して、杭上部３０のせん断強度を高めてもよい。
【００４６】
〔第１の変形例〕
ここで、鋼製リング４０を周方向に沿って複数の円弧状のリング部材に分割しておき、現場にて、この分割したリング部材同士をボルトで連結してもよい。このリング部材は、薄肉鋼板に補強鋼材を取り付けたもので、コンクリート型枠材を兼用できる。コンクリート杭１Ｃを現場で築造する場合、フープ筋に略水平に直線状に延びる支持鉄筋４１を取り付け、その支持鉄筋４１で鋼製リング４０を支持する。
このようにしても、上述の（１）と同様の効果がある。
【００４７】
〔第２の変形例〕
また、図１０に示すように、コンクリート杭１Ｄの全長に亘って、フープ筋２１を一本の螺旋状の鉄筋で構成し、さらに、フープ筋２１に用いられる鉄筋の材質およびフープ筋２１同士の間隔を略同一として、杭上部３０を高強度コンクリート５０（図１０中斜線で示す）で築造し、杭中間部３１および杭下部３２を低強度コンクリート５１で築造してもよい。この場合、杭上部３０が杭中間部３１および杭下部３２より高強度のコンクリートで形成されていることで、杭上部３０のせん断強度を杭中間部３１および杭下部３２のせん断強度よりも高めることができる。
【００４８】
このコンクリート杭１Ｄを建設現場で場所打ち杭として築造する場合、先ず、地盤中に築造孔を設けた後、その築造孔に、主筋とフープ筋で組み立てられた鉄筋かごを挿入する。その後、築造孔に杭下部から杭中間部まで第１のコンクリート（低強度コンクリート５１）を打設し、一旦打ち止める。その後、杭体断面内に脆弱部として打継面が形成されないように、第１コンクリートを打ち止めた時点から１時間以内に、再度、築造孔中に第１のコンクリートより高強度な第２のコンクリート（高強度コンクリート５０）を打設する。これにより、杭上部側に高強度コンクリートを有するコンクリート杭１Ｄを形成できる。
【００４９】
また、コンクリート杭１ＤをＰＣ工場で既製杭として製造する場合、杭に打ち込む鉄筋かごを水平方向に延びる鋼製の円筒形状の型枠内に配置した後、杭上部と杭中間部との打継面には、鉄筋かごを横切るようにメッシュ型枠を設置し、この状態で、杭下部から杭中間部まで第１のコンクリート（低強度コンクリート５１）を打設する。第１のコンクリートを打設した後、メッシュ型枠を取り除き、杭上部に第１のコンクリートより高強度な第２のコンクリート（高強度コンクリート５０）を打設して、コンクリート杭１Ｄを形成する。
【符号の説明】
【００５０】
１、１Ａ、１Ｂ、１Ｃ、１Ｄ…コンクリート杭  １０…基礎構造  １１…フーチング    １２…基礎梁  柱…１３
２０…主筋  ２１、２１ａ、２１ｂ…フープ筋  ２３…重ね巻き部
２４…内側主筋  ２５…外側主筋  ２６…内側フープ筋  ２７…外側フープ筋
３０…杭上部  ３１…杭中間部  ３２…杭下部  ４０…鋼製リング  ４１…支持鉄筋   ５０…高強度コンクリート  ５１…低強度コンクリート
【図１】
2020197125.tif 000003
【図２】
2020197125.tif 000004
【図３】
2020197125.tif 000005
【図４】
2020197125.tif 000006
【図５】
2020197125.tif 000007
【図６】
2020197125.tif 000008
【図７】
2020197125.tif 000009
【図８】
2020197125.tif 000010
【図９】
2020197125.tif 000011
【図１０】
2020197125.tif 000012